(57)【要約】【課題】外部機器から受け取ったコンテンツデータを再生して得られる映像を、簡易な操作で表示装置に表示することが可能な情報処理装置、情報処理装置の制御方法および表示システムを提供する。【解決手段】  携帯電話１２からコンテンツデータの再生要求信号を受信すると、表示装置３０を起動させ、デコードしたコンテンツデータを表示装置３０に出力する。【選択図】      図２
2009016967.tif 000002
【特許請求の範囲】
【請求項１】
映像信号を表示装置に出力すると共に、制御信号を前記表示装置と通信する第１の接続手段と、
外部端末からコンテンツデータの再生要求信号を受信すると共に該コンテンツデータを受信する、前記第１の接続手段とは異なる第２の接続手段と、
前記外部端末内に記憶されている前記コンテンツデータの前記再生要求信号を受信すると、前記表示装置を起動させる前記制御信号を前記第１の接続手段から送信する起動手段と、
前記起動手段による前記表示装置の起動後、前記外部端末から前記第２の接続手段で受信する前記コンテンツデータを復号化する復号化手段と、
前記復号化手段で復号化した前記コンテンツデータの映像信号を前記第１の接続手段から出力する出力手段と
を備えることを特徴とする情報処理装置。
【請求項２】
請求項１に記載の情報処理装置において、
前記外部端末に対して再生装置としての機能を提供する再生機能提供手段をさらに備え、
前記第１の接続手段が前記表示装置と接続されているか否かに応じて、前記再生機能提供手段は前記外部端末に対して再生装置としての機能を提供するか否かを切り換えることを特徴とする情報処理装置。
【請求項３】
請求項１または２に記載の情報処理装置において、
前記第２の接続手段は、ＵＰｎＰにより通信を行い、
前記再生機能提供手段は、前記外部端末に対して、再生装置であるメディアレンダラデバイスとしての機能を提供することを特徴とする情報処理装置。
【請求項４】
請求項１に記載の情報処理装置において、
前記第１の接続手段を介して、前記表示装置から機器名称情報を取得する取得手段を更に備え、
前記取得手段が取得した前記機器名称情報を、前記第２の接続手段を介して前記外部端末に閲覧可能とすることを特徴とする情報処理装置。
【請求項５】
外部端末と、前記外部端末からコンテンツを受信する情報処理装置と、前記情報処理装置からのコンテンツを表示する表示装置とを備えた表示システムであって、
前記情報処理装置は、
映像信号を前記表示装置に出力すると共に、制御信号を前記表示装置と通信する第１の接続手段と、
前記外部端末からコンテンツデータの再生要求信号を受信すると共に該コンテンツデータを受信する、前記第１の接続手段とは異なる第２の接続手段と、
前記外部端末内に記憶されている前記コンテンツデータの前記再生要求信号を受信すると、前記表示装置を起動させる前記制御信号を前記第１の接続手段から送信する起動手段と、
前記起動手段による前記表示装置の起動後、前記外部端末から前記第２の接続手段で受信する前記コンテンツデータを復号化する復号化手段と、
前記復号化手段で復号化した前記コンテンツデータの映像信号を前記第１の接続手段から出力する出力手段と
を備えることを特徴とする表示システム。
【請求項６】
請求項５に記載の表示システムにおいて、
前記外部端末に対して再生装置としての機能を提供する再生機能提供手段をさらに備え、
前記第１の接続手段が前記表示装置と接続されているか否かに応じて、前記再生機能提供手段は前記外部端末に対して再生装置としての機能を提供するか否かを切り換えることを特徴とする表示システム。
【請求項７】
請求項５または６に記載の表示システムにおいて、
前記第２の接続手段は、ＵＰｎＰにより通信を行い、
前記再生機能提供手段は、前記外部端末に対して、再生装置であるメディアレンダラデバイスとしての機能を提供することを特徴とする表示システム。
【請求項８】
請求項５に記載の表示システムにおいて、
前記第１の接続手段を介して、前記表示装置から機器名称情報を取得する取得手段を更に備え、
前記取得手段が取得した前記機器名称情報を、前記第２の接続手段を介して前記外部端末に閲覧可能とすることを特徴とする表示システム。
【請求項９】
外部端末からコンテンツを受信して表示装置に出力する情報処理装置で用いられる制御方法であって、
映像信号を前記表示装置に出力すると共に、制御信号を前記表示装置と第１の接続手段を介して通信し、
前記外部端末からコンテンツデータの再生要求信号を受信すると共に該コンテンツデータを前記第１の接続手段とは異なる第２の接続手段を介して受信し、
前記外部端末内に記憶されている前記コンテンツデータの前記再生要求信号を受信すると、前記表示装置を起動させる前記制御信号を前記第１の接続手段から送信し、
前記表示装置の起動後、前記外部端末から前記第２の接続手段で受信する前記コンテンツデータを復号化し、
復号化した前記コンテンツデータの映像信号を前記第１の接続手段から出力することを特徴とする制御方法。
【請求項１０】
請求項９に記載の制御方法において、
前記外部端末に対して再生装置としての機能を提供する再生機能提供手段をさらに備え、
前記第１の接続手段が前記表示装置と接続されているか否かに応じて、前記再生機能提供手段は前記外部端末に対して再生装置としての機能を提供するか否かを切り換えることを特徴とする制御方法。
【発明の詳細な説明】
【技術分野】
【０００１】
本発明は例えばパーソナルコンピュータ等の情報処理装置に関し、特にＴＶとの連動機能を備えた情報処理装置、情報処理装置の制御方法および表示システムに関する。
【背景技術】
【０００２】
一般的に、デジタル方式のテレビジョン受像機は、ＨＤＭＩという接続端子を備えているものが増えてきている。例えば、特許文献１に開示されているように、デジタル方式のテレビジョン受像機は、ＨＤＭＩおよびＤＶＩの接続端子を備えている。デジタル方式のテレビジョン受像機は、ＨＤＭＩおよびＤＶＩの接続端子からの入力を切り替えて表示することができる。
【特許文献１】特開２００６−１９９４７号公報
【発明の開示】
【発明が解決しようとする課題】
【０００３】
しかしながら、特許文献１に記載された技術では、ＨＤＭＩ等で接続された機器からデコード後のコンテンツデータをテレビジョン受像機等で表示する際には、表示するデジタル方式のテレビジョン受像機の電源が起動されている状態でなければならないという課題があった。例えば、外部機器からコンテンツデータを受け取った場合に、該コンテンツデータの映像をテレビジョン受像機に表示させようとすると、外部機器からコンテンツデータの再生指示を出すと共に、テレビジョン受像機を操作してHDMIの映像入力を該装置に切り換える必要があった。つまり、ユーザは各装置を其々操作する必要があり、煩雑であった。
【０００４】
本発明は上述の事情を考慮してなされたものであり、外部機器から受け取ったコンテンツデータを再生して得られる映像を、簡易な操作で表示装置に表示することが可能な情報処理装置、情報処理装置の制御方法および表示システムを提供することを目的とする。
【課題を解決するための手段】
【０００５】
上記目的を達成するために、本発明の一態様によれば、映像信号を表示装置に出力すると共に、制御信号を前記表示装置と通信する第１の接続手段と、外部端末からコンテンツデータの再生要求信号を受信すると共に該コンテンツデータを受信する、前記第１の接続手段とは異なる第２の接続手段と、前記外部端末内に記憶されている前記コンテンツデータの前記再生要求信号を受信すると、前記表示装置を起動させる前記制御信号を前記第１の接続手段から送信する起動手段と、前記起動手段による前記表示装置の起動後、前記外部端末から前記第２の接続手段で受信する前記コンテンツデータを復号化する復号化手段と、前記復号化手段で復号化した前記コンテンツデータの映像信号を前記第１の接続手段から出力する出力手段とを備えることを特徴とする情報処理装置が提供される。
【０００６】
また、外部端末と、前記外部端末からコンテンツを受信する情報処理装置と、前記情報処理装置からのコンテンツを表示する表示装置とを備えた表示システムであって、前記情報処理装置は、映像信号を前記表示装置に出力すると共に、制御信号を前記表示装置と通信する第１の接続手段と、前記外部端末からコンテンツデータの再生要求信号を受信すると共に該コンテンツデータを受信する、前記第１の接続手段とは異なる第２の接続手段と、前記外部端末内に記憶されている前記コンテンツデータの前記再生要求信号を受信すると、前記表示装置を起動させる前記制御信号を前記第１の接続手段から送信する起動手段と、前記起動手段による前記表示装置の起動後、前記外部端末から前記第２の接続手段で受信する前記コンテンツデータを復号化する復号化手段と、前記復号化手段で復号化した前記コンテンツデータの映像信号を前記第１の接続手段から出力する出力手段とを備えることを特徴とする表示システムが提供される。
【０００７】
また、外部端末からコンテンツを受信して表示装置に出力する情報処理装置で用いられる制御方法であって、映像信号を前記表示装置に出力すると共に、制御信号を前記表示装置と第１の接続手段を介して通信し、前記外部端末からコンテンツデータの再生要求信号を受信すると共に該コンテンツデータを前記第１の接続手段とは異なる第２の接続手段を介して受信し、前記外部端末内に記憶されている前記コンテンツデータの前記再生要求信号を受信すると、前記表示装置を起動させる前記制御信号を前記第１の接続手段から送信し、前記表示装置の起動後、前記外部端末から前記第２の接続手段で受信する前記コンテンツデータを復号化し、復号化した前記コンテンツデータの映像信号を前記第１の接続手段から出力することを特徴とする制御方法が提供される。
【発明の効果】
【０００８】
本発明によれば、外部機器から受け取ったコンテンツデータを再生して得られる映像を、簡易な操作で表示装置に表示することが可能となる。
【発明を実施するための最良の形態】
【０００９】
以下、図面を参照して、本発明の実施形態を説明する。  
まず、図１および図２を参照して、本発明の一実施形態に係る情報処理装置の構成について説明する。この情報処理装置は、例えば、ノート型パーソナルコンピュータ１１（以下、パーソナルコンピュータと呼称する）として実現されており、表示システム２０の１つとして構成されている。
【００１０】
表示システム２０は、図１に示すように、デジタル方式のテレビジョン受像機１０およびパーソナルコンピュータ１１等から構成されている。
【００１１】
パーソナルコンピュータ１１は、テレビジョン受像機１０とＨＤＭＩ（High-Definition Multimedia Interface）ケーブルで接続されている。また、携帯電話１２は、パーソナルコンピュータ１１と無線ＬＡＮ等の、ＴＣＰ（Transmission Control Protocol）／ＩＰ（Internet Protocol）により通信を行う無線接続で接続可能である。
【００１２】
ここで本実施例では、携帯電話１２とパーソナルコンピュータ１１とは、ＵＰｎＰ（Universal Plug and Play）規格に基づいて通信を行うものとする。ＵＰｎＰでは、ＡＶ機器向けにＵＰｎＰ  ＡＶ  Architectureという仕様が規定されている。このＵＰｎＰ  ＡＶ  Architectureではネットワークの基本構成として、デバイス（Device）、サービス（Service）、コントロールポイント（Control Point）が定義されている。デバイスはＵＰｎＰ  ＡＶに対応した装置であり、サービスはデバイスが提供する機能を表す最小単位である。各デバイスは、少なくとも１つのサービスを有する被制御装置である。コントロールポイントは、デバイスが有するサービスを制御し、利用するものである。１つの機器の中に複数のデバイスを持たせることもでき、更に、コントロールポイントとデバイスとが一体となった機器も考えることができる。
【００１３】
更に、ＵＰｎＰ ＡＶ Architectureでは、被制御機能を実装し、コンテンツデータを提供するサーバデバイスとしてＵＰｎＰ Media Server Deviceが定義されている。
【００１４】
本実施例では、コンテンツデータを再生する機能を提供するＵＰｎＰ Media Renderer Deviceとしてパーソナルコンピュータ１１が機能する。更に、該デバイスを制御して再生指示等を出すＵＰｎＰ Media Renderer Control Point、及びパーソナルコンピュータ１１が提供するＵＰｎＰ Media Renderer Deviceへコンテンツデータを供給するＨＴＴＰ Server（或いは、Media Server Device）として、携帯電話１２が機能する。
【００１５】
図２は、表示システム２０等の構成を示したブロック図である。
【００１６】
表示システム２０等を構成しているテレビジョン受像機（ＴＶ）１０は、ディスプレイ等である表示部３０、ＨＤＭＩ Receiver処理部３１、ＨＤＭＩ端子３２、機器情報保存部３３、ＣＥＣ制御部３４等を備えている。ＨＤＭＩ Receiver処理部３１は、ＨＤＭＩ端子３２およびＨＤＭＩケーブル（第１の接続手段）４０を介して映像データやＨＤＭＩ−ＣＥＣ（High-Definition Multimedia Interface-Consumer Electronics Control）の制御コマンドを受信する。機器情報保存部３３は、テレビジョン受像機１０の機器情報を記憶する。テレビジョン受像機１０の機器情報は、任意に設定することができ、例えば、「Ｍｙ  ＴＶ」等というように設定する。ＣＥＣ制御部３４は、受信したＨＤＭＩ−ＣＥＣの制御コマンドの実行、制御を行う。
【００１７】
また、表示システム２０等を構成しているコンピュータ１１は、ＨＤＭＩ端子５０、ＨＤＭＩ Transmitter処理部５１、デコード処理部５２、接続検知部５３、ＣＥＣ制御部５４、機器情報取得部５５、UPnP（Universal Plug and Play） Media Renderer Device処理部（再生機能提供手段：メディアレンダラデバイスとしての機能を提供する）５６、ＨＴＴＰリクエスト処理部５７、ネットワークインターフェース部５８、無線接続部４１（第２の接続手段）等から構成されている。
【００１８】
ＨＤＭＩ Transmitter処理部５１は、映像データやＨＤＭＩ−ＣＥＣの制御コマンド等をテレビジョン受像機１０にＨＤＭＩ端子５０を介して送信する。デコード処理部５２は、携帯電話１２等から受信したコンテンツデータをデコードする。接続検知部５３は、テレビジョン受像機１０にＨＤＭＩ端子５０を介して接続がされたか否かを検出する。ＣＥＣ制御部５４は、ＨＤＭＩ−ＣＥＣの制御コマンドの実行、制御を行う。機器情報取得部５５は、テレビジョン受像機１０の機器情報（機器名称情報）を機器情報保存部３３から取得する。UPnP Media Renderer Device処理部５６は、携帯電話１２から受信した制御コマンドをＨＤＭＩ−ＣＥＣの制御コマンドに変換する。ＨＴＴＰリクエスト処理部５７は、携帯電話１２からコンテンツデータを受信する。ネットワークインターフェース部５８は、無線ＬＡＮのアクセスポイント等である無線接続部４１と接続され、無線接続部４１を介して携帯電話１２と接続可能である。
【００１９】
携帯電話１２は、UPnP Media Renderer Control Point６０、HTTP Sever６１、無線接続部６２を備えている。UPnP Media Renderer Control Point６０は、制御コマンドである「再生」、「停止」等のコマンドを生成する。HTTP Sever６１は、コンテンツデータを配信する。無線接続部６２は、コンピュータ１１と無線接続を行う。
【００２０】
次に図３は、コンピュータの構成を示す機能ブロック図である。
【００２１】
コンピュータ１１は、制御部１００、記憶部１０１、起動部１０２、出力部１０３を備えている。制御部１００は、ＣＰＵ等であり、コンテンツデータのデコード処理やＨＤＭＩ端子の接続の検知、制御コマンドの授受を行う。記憶部１０１は、携帯電話１２から受信したコンテンツや制御コマンドを一時的に記憶したり、テレビジョン受像機１０から受信した機器情報等を記憶したりする。起動部１０２は、テレビジョン受像機１０に制御コマンドを送信して、テレビジョン受像機１０の電源を入れる等の操作を行う。出力部１０３は、携帯電話１２から受信した制御コマンドやデコードされたコンテンツデータ（映像データ）をテレビジョン受像機１０に出力する。
【００２２】
次に、図４、図５のフローチャートを参照して、本発明の実施形態に係る表示システムの情報処理装置を適用した制御方法について説明する。
【００２３】
図４は、表示システムの起動処理について示したフローチャートである。
【００２４】
コンピュータ１１の接続検知部５３は、HDMI Transmitter処理部５１によって実行されるＨＤＭＩの規格で定められるPhysical Address設定機能により、HDMI source機器であるコンピュータ１１にテレビジョン受像機１０が接続されているか否かを検知する（ステップＳ１０１）。コンピュータ１１の接続検知部５３によって、コンピュータ１１にテレビジョン受像機１０が接続されていることを検知すると（ステップＳ１０１ＹＥＳ）、接続検知部５３は、機器情報取得部５５に対して、テレビジョン受像機１０の機器情報を取得するように指示を出す（ステップＳ１０２）。機器情報取得部５５は、コンピュータ１１のＣＥＣ制御部５４に対して、機器情報を取得するための機器情報取得要求のメッセージを送信するよう指示を出す（ステップＳ１０３）。機器情報取得要求のメッセージは、ＨＤＭＩ端子５０を介して、テレビジョン受像機１０に伝達される。テレビジョン受像機１０のＣＥＣ制御部３４は、機器情報取得要求のメッセージを受信すると、機器情報保存部３３から機器情報を取得する（ステップＳ１０４）。この機器情報は例えば、テレビジョン受像機１０にあらかじめ設定されている名称であり、上述したように本実施形態では、機器名を”Ｍｙ  ＴＶ”とする。
【００２５】
次に、機器情報は、ＨＤＭＩ−ＣＥＣのメッセージとして、コンピュータ１１に伝送され、コンピュータ１１のＣＥＣ制御部５４が受信し（ステップＳ１０５）、ＨＤＭＩ−ＣＥＣのメッセージを機器情報取得部５５に伝達する。機器情報取得部５５は、ＨＤＭＩ−ＣＥＣのメッセージをUPnP Media Renderer Device処理部５６に対して、UPnP Media RendererのDevice Descriptionにおける<friendlyName>エレメントの値として設定し、UPnP Media Renderer Device処理部５６を起動するように指示を出す。次に、UPnP Media Renderer Device処理部５６は、UPnP Media Renderer Device（再生装置であるメディアレンダラデバイスとしての機能）を起動し（ステップＳ１０６）、Advertise Messageがネットワークインタフェース部５８から出力される（ステップＳ１０７）。この状態で、携帯電話１２からテレビジョン受像機１０の機器名”Ｍｙ  ＴＶ”が閲覧可能となる。
【００２６】
一方、ユーザが、ＨＤＭＩ端子５０を取りはずすなどして、テレビジョン受像機１０とコンピュータ１１との間の接続が切断された場合（ステップＳ１０８のＹＥＳ）、コンピュータ１１の接続検知部５３は、接続が解除されたことをHDMI Transmitter処理部５１から検知し、UPnP Media Renerer Device処理部５６に対して、UPnP Media Renerer Deviceを終了するように指示を出す。UPnP Media Renderer Device処理部５６は、UPnP Media Renderer Deviceの終了処理を行い、ネットワークインターフェース部５８からAdvertiseメッセージを出力して、処理を終了する（ステップＳ１０９）
次に、図５は表示システムの再生処理について示したフローチャートである。
【００２７】
上述したように、表示システム２０は、コンピュータ１１のUPnP Media Renderer Device処理部５６によってUPnP Media Renderer Deviceを利用可能にしている。
【００２８】
携帯電話１２は、UPnP Media Renderer Deviceをサーチする（ステップＳ２０１）。携帯電話１２は、UPnP Media Renderer Deviceを発見すると（ステップＳ２０２のＹＥＳ）、AVT:（SetAVTrasnportURI）アクションを送信し、携帯電話１２が格納しているコンテンツデータのHTTPによる再生のためのＵＲＬ（Uniform Resource Locator）をコンピュータ１１に送信する（ステップＳ２０３）。
【００２９】
コンピュータ１１のUPnP Media Renderer Device処理部５６は、AVT:アクションリクエストを受信し、その引数と設定されているＵＲＬをHTTPリクエスト処理部５７に記憶し、レスポンスを返答する（ステップＳ２０４）。次に、携帯電話１２のUPnP Medis Renderer Control Point６０は、設定したＵＲＬのコンテンツデータを再生するために、AVT:Playアクションを呼び出す（ステップＳ２０５）。
【００３０】
コンピュータ１１のUPnP Media Renderer Device処理部５６は、AVT:Playアクションを受信すると、ＣＥＣ制御部５４に対して、ＨＤＭＩ端子５０に接続されているテレビジョン受像機１０の電源を投入し、テレビジョン受像機１０の入力端子をＨＤＭＩ端子３２に切り替える処理を行う（ステップＳ２０６）。例えば、ＨＤＭＩ−ＣＥＣの規定でに定められている One Touch Play featureを実行する。具体的には、ＣＥＣ制御部５４を介して、<Image View On>メッセージを送信し、テレビジョン受像機１０の電源をOnとする。また、テレビジョン受像機１０を映像再生可能状態に切り替え、<Active Soruce>メッセージを送信し、テレビジョン受像機１０の入力端子をＨＤＭＩ端子３２に切り替える。
【００３１】
コンピュータ１１のHTTPリクエスト処理部５７に記憶してあるＵＲＬをテレビジョン受像機１０に通知し（ステップＳ２０７）、通知したＵＲＬを受信するように指示をする。
【００３２】
テレビジョン受像機１０は、<Image View On>メッセージを受信すると、テレビジョン受像機１０の電源を待機状態から、電源On状態に切り替え、表示部３０を映像再生モードに切り替える。また、テレビジョン受像機１０は、<Active Source>メッセージを受信すると、表示部３０の入力経路をHDMI Receiver処理部３１からの出力となるように切り替える（ステップＳ２０８）。
【００３３】
コンピュータ１１のHTTPリクエスト処理部５７は、UPnP Media Renderer Device処理部５６からの指示により、HTTP GETリクエストを携帯電話１２のHTTP Server６１に対して行い、コンテンツを取得し、取得したコンテンツをデコード処理部５１に送信する。デコード処理部５１は、HTTPリクエスト処理部から得たデータをもとにデコード処理を行い（ステップＳ２０９）、HDMI Transmitter処理部５１に送信する。HDMI Transmitter処理部５１は、デコード処理したコンテンツデータをＨＤＭＩ端子５０からテレビジョン受像機１０に送信し、デコード処理されたコンテンツデータを受信したテレビジョン受像機１０のHDMI Receiver処理部３１は表示装置３０が表示できる形式にデータを変換して表示部３０に表示する（ステップＳ２１０）。
【００３４】
なお、上述した実施形態では、無線接続方式として無線ＬＡＮを用いて説明したが、これに限定されるものではなく、Bluetooth（登録商標）等の無線手段や、Ethernet(登録商標) 等の有線接続であってもかまわない。また、コンピュータ１１のデコード処理部５２は、携帯電話１２から受信したコンテンツデータのデコードを行うが、大画面のテレビジョン受像機１０で表示させるのに都合がよいように、必要に応じてコンテンツデータのアップコンバート処理を行うようにしてもよい。さらに、上述したＣＥＣ制御コマンドは、<Active Source>メッセージ等に限定されるものではなく、ＨＤＭＩ−ＣＥＣの規格に沿った制御コマンドであれば、用いることができる。
【００３５】
以上、本発明を用いることにより、テレビジョン受像機にＨＤＭＩで接続された機器が携帯電話等の外部機器からコンテンツデータを受け取ると、コンテンツデータをデコードし、自動的にテレビジョン受像機の電源を入れ、接続をＨＤＭＩに切り替えて、デコードされたコンテンツデータを出力することが可能となる。また、ネットワーク上に機器情報を公開することにより、携帯電話１２からネットワーク上にあるテレビジョン受像機１０を容易に見つけ出すことができる。
【００３６】
さらに、コンピュータ１１でデコード処理を行うことにより、テレビジョン受像機１０にデコーダを備えている必要がない。
【００３７】
また、本発明は、上記実施形態そのままに限定されるものではなく、実施段階ではその要旨を逸脱しない範囲で構成要素を変形して具体化できる。また、上記実施形態に開示されている複数の構成要素の適宜な組み合わせにより種々の発明を形成できる。例えば、実施形態に示される全構成要素から幾つかの構成要素を削除してもよい。更に、異なる実施形態に構成要素を適宜組み合わせてもよい。
【図面の簡単な説明】
【００３８】
【図１】本発明の一実施形態に係る表示システムの概観を示す斜視図。
【図２】本発明の一実施形態に係る表示システム構成の例を示すブロック図。
【図３】本発明の一実施形態に係るコンピュータの機能の構成を示したブロック図。
【図４】本発明の一実施形態に係る表示システムを適用した制御方法を示したフローチャート。
【図５】本発明の一実施形態に係る表示システムを適用した制御方法を示したフローチャート。
【符号の説明】
【００３９】
１０…テレビジョン受像機、１１…コンピュータ、２０…表示システム、３０…表示部、３１…ＨＤＭＩ Receiver処理部、３２、５０…ＨＤＭＩ端子、３３…機器情報保存部、３４…ＣＥＣ制御部、４０…ＨＤＭＩケーブル、４１、６２…無線接続部、５１…ＨＤＭＩ Transmitter処理部、５２…デコード処理部、５３…接続検知部、５４…ＣＥＣ制御部、５５…機器情報取得部、５６…UPnP Media Renderer Device処理部、５７…ＨＴＴＰリクエスト処理部、５８…ネットワークインターフェース部、６０…UPnP Media Renderer Control Point、６１…HTTP Sever 
【図１】
2009016967.tif 000003
【図２】
2009016967.tif 000004
【図３】
2009016967.tif 000005
【図４】
2009016967.tif 000006
【図５】
2009016967.tif 000007